(57)【要約】【課題】犬のトリミング中における疲労を少なくしてトリミングに要する時間が長くなったような場合においても疲労によって犬が動作することのない犬保持装置を使用してトリマーにとって安全であって、トリミングがし易く、犬にとって長いトリミングに耐えることのできる犬トリミング方法を提供する。【解決手段】載置台とこの載置台に載せられて犬の腹下部の広領域に亘って移動可能で非固定的に当接されるクッション部とからなる犬腹部保持部、該犬腹部保持部を下方垂直方向に固定支持し、高さが調節されるようにされた支持部材および該支持部材を固定する固定盤からなる持ち運び可能な犬保持装置を使用する方法であって、該犬保持装置の前記犬腹部保持部を前記支持部材の高さを調節することによって犬の腹下部の広領域に亘って当てて犬が４つ足を使って立った状態で、犬の体重の一部を保持した状態を形成して犬のトリミングを行う。【選択図】図１
2007319082.tif 000002
【特許請求の範囲】
【請求項１】
犬を犬保持装置に保持した状態で犬のトリミングを行う犬トリミング方法において、
載置台とこの載置台に載せられて犬の腹下部の広領域に亘って移動可能で非固定的に当接されるクッション部とからなる犬腹部保持部、該犬腹部保持部を下方垂直方向に固定支持し、高さが調節されるようにされた支持部材および該支持部材を固定する固定盤からなる持ち運び可能な犬保持装置を使用する方法であって、
該犬保持装置の前記犬腹部保持部を前記支持部材の高さを調節することによって犬の腹下部の広領域に亘って当てて犬が４つ足を使って立った状態で、犬の体重の一部を保持した状態を形成して犬のトリミングを行うこと
を特徴とする犬トリミング方法。
【請求項２】
請求項１において、犬の首部を支持固定し、かつ犬の後ろ足の腹部側つけね部を支持固定することによって少なくとも三点支持を行って犬のトリミングを行うことを特徴とする犬トリミング方法。
【請求項３】
犬を保持した状態で犬のトリミングを行う犬トリミング方法時に使用する犬保持装置において、
載置台とこの載置台に載せられて犬の腹下部の広領域に亘って移動可能で非固定的に当接されるクッション部とからなる犬腹部保持部、該犬腹部保持部を下方垂直方向に固定支持し、高さが調節されるようにされた支持部材および該支持部材を固定する固定盤からなる持ち運び可能な犬保持装置であって、前記支持部材は、前記犬腹部保持部を犬の腹下部の広領域に亘って当接したときに、犬が４つ足で立った状態で、犬の体重の一部を保持するに充分な高さに調節可能であること
を特徴とする犬保持装置。
【請求項４】
請求項３において、前記犬腹部保持部および前記固定盤は共に円形状となし、前記犬腹部保持部の円形状の直径は、前記固定盤の円形状の直径に比べて同一もしくはわずかに異径となし、固定盤の重量は、前記犬腹部保持部および前記支持部材の双方の重量よりも重くしてあることを特徴とする犬保持装置。
【請求項５】
請求項３または４に記載した犬保持装置を、前記支持部材の高さ調節域を異なるようにして組み合わせるようにしたことを特徴とする組み合わせの犬保持装置。
【請求項６】
請求項１から５のいずれかにおいて、前記固定盤の底面にすべり止めシートを貼付したことを特徴とする犬保持装置。
【発明の詳細な説明】
【技術分野】
【０００１】
本発明は、犬のトリミング方法およびこれに用いる犬保持（ステム）装置に関する。
【背景技術】
【０００２】
従来、犬に例えばシャンプー、ヘアブロー、カットあるいはブラッシングのようなトリミング（いわゆる手入れ）を行う場合、犬が動き回るため、一方の手で犬の動きを制止しながら他方の手でトリミングを行う必要があり、トリミングしずらいという問題があった。この問題を解決する手段の１つが特許文献１に開示されている。すなわち、特許文献１には、犬の前足及び後ろ足をそれぞれ載せる前足載置部及び後ろ足載置部を有する載置台と、前記前足載置部に設けられ、４つ足を使って立った状態の前記犬の首部を支持し固定する首用支持部材と、前記後ろ足載置部に設けられ、４つ足を使って立った状態の前記犬の後ろ足の腹部側つけね部を支持し固定する胴用支持部材とを有することを特徴とし、更に前記載置台は前記前足載置部と前記後ろ足載置部を伸縮可能に連結する伸縮機構を備え、前記首用支持部材及び前記胴用支持部材は高さ調製可能な機構を備えることを特徴とする犬保持装置が記載されている。
【０００３】
また、各種のトリミングテーブルが知られている。例えば、特許文献２には、ペット用トリミングテーブル及びこのテーブルを備えた移動用ペットトリミング車両が記載されている。
【０００４】
犬が４つ足で立った状態で、胴吊ベルトで犬を上方に吊り上げる形式で犬の体重の一部を保持するようにしたことが知られている。
【０００５】
【特許文献１】特開２００６−１２１９９６号公報
【特許文献２】特開２００３−１８０１８４号公報
【発明の開示】
【発明が解決しようとする課題】
【０００６】
犬のトリミング時に使用する従来の犬保持装置は、犬の首部を支持固定し、犬の後ろ足の腹部側つけね部を支持固定するものであり、犬の動きを制止しながらトリミング行うことについて有利であるが、トリミング中に犬が疲労し、４つ足で立つことをいやがるようになって動こうとする場合にこの動作を無理矢理に押さえつけることになって次回以降のトリミングをいやがることになる。また、従来の吊り上げ方式では吊り上げ箇所が固定的でトリミング操作がしずらいという問題がある。
【０００７】
本発明は、かかる点に鑑みて犬のトリミング中における疲労を少なくしてトリミングに要する時間が長くなったような場合においても疲労によって犬が動作することのない犬保持装置を使用してトリマーにとって安全であって、トリミングし易く、犬にとっても長いトリミングに耐えることのできる犬トリミング方法を提供することを目的とする。
【０００８】
また、本発明は、この犬トリミング方法に使用して便利な犬保持装置を提供することを目的とする。
【課題を解決するための手段】
【０００９】
本発明は、犬を犬保持装置に保持した状態で犬のトリミングを行う犬トリミング方法において、
載置台とこの載置台に載せられて犬の腹下部の広領域に亘って移動可能で非固定的に当接されるクッション部とからなる犬腹部保持部、該犬腹部保持部を下方垂直方向に固定支持し、高さが調節されるようにされた支持部材および該支持部材を固定する固定盤からなる持ち運び可能な犬保持装置を使用する方法であって、
該犬保持装置の前記犬腹部保持部を前記支持部材の高さを調節することによって犬の腹下部の広領域に亘って当てて犬が４つ足を使って立った状態で、犬の体重の一部を保持した状態を形成して犬のトリミングを行うこと
を特徴とする犬トリミング方法を提供する。
【００１０】
また、本発明は上述の犬トリミング方法において、犬の首部を支持固定し、かつ犬の後ろ足の腹部側つけね部を支持固定することによって少なくとも三点支持を行って犬のトリミングを行うことを特徴とする犬トリミング方法を提供する。
【００１１】
また、本発明は、犬を保持した状態で犬のトリミングを行う犬トリミング方法時に使用する犬保持装置において、
載置台とこの載置台に載せられて犬の腹下部の広領域に亘って移動可能で非固定的に当接されるクッション部とからなる犬腹部保持部、該犬腹部保持部を下方垂直方向に固定支持し、高さが調節されるようにされた支持部材および該支持部材を固定する固定盤からなる持ち運び可能な犬保持装置であって、前記支持部材は、前記犬腹部保持部を犬の腹下部の広領域に亘って当接したときに、犬が４つ足で立った状態で、犬の体重の一部を保持するに充分な高さに調節可能であること
を特徴とする犬保持装置を提供する。
【００１２】
また、本発明は上述の犬保持装置において、前記犬腹部保持部および前記固定盤は共に円形状となし、前記犬腹部保持部の円形状の直径は、前記固定盤の円形状の直径に比べて同一もしくはわずかに異径となし、固定盤の重量は、前記犬腹部保持部および前記支持部材の双方の重量よりも重くしてあることを特徴とする犬保持装置を提供する。
【００１３】
また、本発明は上述した犬保持装置を、前記支持部材の高さ調節域を異なるようにして組み合わせるようにしたことを特徴とする組み合わせの犬保持装置を提供する。
【００１４】
また、本発明は上述の犬保持装置において、前記固定盤の底面にすべり止めシートを貼付したことを特徴とする犬保持装置を提供する。
【発明の効果】
【００１５】
本発明によれば、前述の犬保持装置を使用し、該犬保持装置の犬腹部保持部を支持部材の長さを調節することによって犬の腹下部に当てて犬が４つ足を使って立った状態で、犬の体重の一部を保持した状態を形成して犬のトリミングを行うようになし、腹下部の広領域に亘って移動可能で非固定的な状態を形成しているので、犬のトリミング中における疲労を少なくしてトリミングに要する時間が長くなったような場合においても疲労によって犬が動作することのない犬保持装置を使用して、トリマーにとって安全でトリミングがし易く、犬にとって長いトリミングに耐えることのできる犬トリミング方法を提供することができる。
【００１６】
また、本発明によれば、この犬トリミング方法に使用して便利な犬保持装置を提供することができる。
【発明を実施するための最良の形態】
【００１７】
以下、本発明の実施例を図面に基づいて説明する。
【実施例】
【００１８】
図１は、犬１にトリマー２がトリミングを施している本発明実施例の犬トリミング方法を示す図である。図１において、トリミングに当って犬１は脚４によって一定の高さに保持されたトリミング台３上に載せられ、その腹下部に後述する方法で犬保持装置１０が当てられる。この場合に、犬１は４つの足を使って立っている状態である。
【００１９】
犬の種類には、周知のように、例えば超小型犬にはチワワ、ポメラニアン、トイプードルが、小型犬には、マルチーズ、シーズ、ヨークシャテリア、ミニチュアダックスフンドが、中型犬には柴犬、ブルドッグ、ビーグルがある。これら犬の体高あるいは足の長さに対応して複数の犬保持装置１０が準備され、組みとされる。
【００２０】
ここで、トリミングとはシャンプー、乾燥、ヘアブロー、カット、ブラッシングのような手入れ、歯磨きのような歯の手入れあるいは衣服の着用などを指す。更に、本実施例の犬保持装置１０は、犬のしつけに際して使用されてもよい。
【００２１】
図１に示す状態は、トリマー２がその右手にハサミ５を持ち、左手を犬の首下６に当てて犬を落ち着かせてカットを行っている状態を示す。
【００２２】
図１に示す犬保持装置１０の詳細図を図２あるいは図３に示す。図２において、犬保持装置１０は、載置台１１、この載置台１１上に載せられるクッション部１２、これら２つの部材を包み込み、クッション部１２を載置台１１に固着するカバー１３（点線で示してある）とからなる犬腹部保持部１４と、この犬腹部保持部１４を下方垂直方向（クッション部１２と逆側）に固定支持する支持部材（支持脚）１５と、この支持部材１５が固定される固定盤１６と、およびこの固定盤１６の下面、すなわち底面に貼付されたすべり止めシート１７とから構成される。
【００２３】
載置台１１は、円形状あるいは楕円状をなし、図２において遠近端部がわずかに持ち上がった持ち上り部２１（２２）として形成されており、全体的に断面形状が凹状とされる。すなわち、犬腹部保持部１４を犬１の腹部に当てたときにこの持ち上り部２１（２２）は腹部の両側部に位置し、腹部形状に沿ったものとされる。
【００２４】
載置台１１をジャバラ状としてあるいは引き出し方式として腹部の大小に合わせた面積に変えられる構成としてもよい。
【００２５】
クッション部１２は、綿あるいはスポンジなどのような柔らかい材料から構成され、犬１の腹部に当てられたときにクッションの役目を果たすものとされ、犬１が、犬保持装置が当接されることをいやがらない構成とされる。
【００２６】
このように、犬保持装置１０は、トリミング台３上に移動可能で非固定的に載置される。
【００２７】
クッション部１２は、全体に盛り上がった形状であるが、図２における遠近端部は載置台１１の形状に沿ってわずかに持ち上がった持ち上り部２４（２３）として形成される。
【００２８】
カバー１３は布製とされる。本例の場合、カバー１３を使用してクッション部１２を載置台１１に固着するようにしているが、クッション部１２を載置台１１に適宜直接的に固着（例えば接着剤使用）するようにしてもよい。
【００２９】
支持部材１５は、上支持部３５、下支持部３６および止め具２７からなり、支持部材１５は棒状をなし、円管状の下支持部３６の孔に挿入され、上下動によって高さが調節され、任意の高さにおいて下支持部３６の側面部に形成した穴２８に設けた止め具２７を上支持部３５に押しつけることにおいて固定される。このように支持部材１５は高さを調節する調節手段を有するが、調節手段は本例の手動による留め具に限定されず、油圧式のものあるいは電動式のものであってもよい。このようにして犬腹部保持部１４を下方垂直方向に固定支持し、高さが調節されるようにされた支持部材１５が形成される。尚、本例の場合、支持部材１５は下方に直線形状をしているが、曲線形状あるいは湾曲形状としてもよく、この場合にあっても下方垂直方向に固定支持する機能は同じとなる。また支持部材１５は、その途中に弾性機能部を取り付けてもよい。
【００３０】
固定盤１６は、板状形状とされる。本例の場合、板形状としてあるが、山形形状であってもよい。固定盤１６には孔（図示せず）が中央に設けてあってこの孔に下支持部３６を挿入し、溶接によって下支持部３６、すなわち支持部材１５を固定盤１６に固定する。２９は、溶接部を示す。本例の場合、溶接方法を採用しているが固定方法は他の方法を採用してもよい。
【００３１】
本例の場合、犬腹部保持部１４および固定盤１６は円形状あるいは楕円状をなし、犬腹部保持部１４の円形状の直径は、固定盤１６の形状に比べて同一もしくはこれに比べてわずかに異なるものとなし、固定盤１６の重量は、犬腹部保持部１４および支持部材１５の双方の重量よりも重いものとして重心を下げ、安定を確保する。
【００３２】
犬腹部保持部１４の面積の大きさはトリマー２の手の大きさに匹敵するものとする。これは犬の腹部をトリマー２が触った時の感触に似せるためであり、ヒモあるいは帯状のものと比べて広領域とされる特徴をなす。従って、本例において、犬腹部保持部１４の備える接触面の広領域とは、トリマー２の手のヒラの大きさに匹敵する程のものという意味で使用するが、小型犬では少し小さめにするのが望ましい。
【００３３】
図１、図２からも判るように、犬保持装置１０は持ち運び可能であり、犬腹部保持部１４を適宜犬１の腹下部に当て、トリミングの進み具合に対応して移動させることが可能である。移動後にあっても犬１の広領域に亘っての保持がなされることになる。このようにして、載置台１１とこの載置台１１に載せられて犬の腹下部の広領域に亘って移動可能で非固定的に当接されるクッション部１２とからなる犬腹部保持部１４が構成される。
【００３４】
図３に示す例は、図２に示す例と実質的に同一であるが、犬１の腹下部の傾斜形状に対応するために犬腹部保持部１４を傾斜して設けている。このような傾斜構成を採用することによって犬の種類、腹下部の傾斜形状に合わせてフィット感のある犬腹部保持部１４とすることができる。図の例では傾斜角度を固定しているが、ボールベアリング装置などを使用して角度を任意方向に適宜変更することのできる犬腹部保持部１４としてもよい。この場合、角度はクッション部１２を犬腹下部に当接することによっておのずと定まるようにしてもよい。あるいは任意の角度に調節し、固定するようにしてもよい。
【００３５】
また、前述したように犬の種類、大きさに対応して犬保持装置１０を複数個組として構成することができる。この場合、図２あるいは図３に示す犬保持装置１０を、支持部材１５の高さ調節域を異なるように組み合わせるようにした組み合わせ犬保持装置が提供される。
【００３６】
図１において、犬のトリミングに際しては、トリマー２はトリミング台３の犬１の腹下部に犬保持装置１０を運び入れて、クッション部１２を、支持部材１５の高さを調節することによって腹下部に当接させ、クッション部１２を犬の腹下部の広領域に亘って当てて犬が４つ足を使って立った状態で、犬の体重の一部を保持した状態を形成する。
【００３７】
トリマー２はこの状態を形成して犬に安心感を与えるために左手を犬の首下にあてがい、犬のトリミングを行う。必要に応じて、犬腹部保持部１４を移動させ、犬のトリミングを継続する。
【００３８】
犬１は、その腹部にトリマー２の手の大きさに匹敵する大きさのクッション部１２が当てられているので、安心してトリミングを受けることができる。従って、このような状態でのトリミングは犬に与えるストレスが少ないので、トリミングの時間を少なくして、犬に与える疲労を少なくすることになる。そして、このように犬のストレスを小さくすることで、従来行っていた犬首部を固定具によって固定するようなことを行わないでも左手を犬の首下にあてがう操作だけで充分に犬のトリミングを行うことができる。勿論、犬の種類によっては危険防止のために従来方法、手段を併用するようにしてもよい。この場合、犬１の首部を支持固定し、かつ犬１の後ろ足の腹部側つけね部を支持固定することによって三点支持を行っての犬のトリミングとなるが、一点は非固定支持であることはいうをまたない。
【００３９】
ヒモあるいは帯によって吊して犬の体重の一部を保持する方法を採用すると保持部分が固定的であり、このため固定部が保持具によって赤くなり、犬はトリミングをいやがる原因となっているが、本例のように非固定的に当接されるクッション部を用いることによって当接部が赤くなるようになることは避けることができる。
【００４０】
図４は、犬保持装置１０を構成する各部品および製作方法を示す図である。
【００４１】
先に示したように犬保持装置１０は、（ａ）カバー１３、（ｂ）クッション部１２、（ｃ）載置台１１、（ｄ）上支持部３５、（ｅ）下支持部３６、（ｆ）固定盤１６および（ｇ）すべり止めシート１７からなる。
【００４２】
カバー１３は、二つ折りできるようにされ、かつ内側にはゴム輪状のヒモ（ゴムを布で巻いた伸縮材）３１が通して設けてあり、ゴムヒモ３１によってクッション部１２を載置台１１に固定することができる。ゴムに代えてヒモで締結するようにしてもよい。
【００４３】
載置台１１は、両側端部が上側に持ち上がった構造とされクッション部１２を載置台１１上に載置すると、クッション部１２の両側は載置台形状によって持ち上げられ、平坦状のクッション部１２を使用すると、全体形状が両側において持ち上がって犬１の腹下部の形にマッチングした形状とすることができる。（ｃ）の載置台では両側を持ち上げたが、（ｃ´）に示すような平板状のものを使用することができる。この場合には、（ｂ´）に示すように両側２５，２６が厚いクッション部１２を使用し、全体形状が両側において持ち上がった構造とすることができる。
【００４４】
また、これらの構成を組み合わせて全体形状が両側において持ち上がった構造としてもよい。図２においてこの持ち上がった構造を数字２１で示し、他側が２２となる。
【００４５】
上支持部３５は金属製の棒状体であり、上端が金属製の載置台１１に溶接して接合され、下端部は下支持部３６の孔３２内に挿入される。下支持部３６のサイド側には穴２８が形成してあってネジが切ってあり、このネジに止め具２７のネジ３９が螺合して内部にまで入り込み、孔３２を挿入してきた上支持部３５に当接し、上支持部３５を下支持部３６に固定する。下支持部３６の下端面は閉じてあり、孔３２の底部にコルクなどによるクッションを設けてあり、上支持部３５が当っても音を出さないようにしてある。
【００４６】
下支持部３６は固定盤１６の中央に設けた孔３３に挿入され、この状態で溶接され、固定盤１６に固定される。この溶接によって図２、図３に示すように溶接固定部２９が形成される。
【００４７】
前述したように、固定盤１６の底面３４にはすべり止めシート１７が貼着されることになる。
【００４８】
部品（ａ），（ｂ），（ｃ），（ｄ），（ｅ），（ｆ）あるいは（ａ），（ｂ´），（ｃ´），（ｄ），（ｅ），（ｆ）が組み立てられて図２あるいは図３に示す犬保持装置１０が構成される。
【００４９】
このようにして構成される犬保持装置１０は、持ち運びを容易に行えるばかりでなく、トリミング中にあっても容易に移動させて犬腹下部の当接場所を変更することができる。犬の腹部、足のつけね部、及び首下部の毛のトリミング、例えば乾燥を容易に行うことができる。すなわち作業性が向上する。そして、図３に示す構成とすれば、クッション部１２が犬腹下部にマッチングすることによって犬の精神的安定性を更に向上させ、トリミングをし易くすることになる。
【図面の簡単な説明】
【００５０】
【図１】本発明実施例の犬のトリミング方法を示す図。
【図２】犬のトリミングの際に使用する犬の保持装置の構成を示す図。
【図３】図２の変形例を示す図。
【図４】犬の保持装置の構成部品および組み立て法を示す図。
【符号の説明】
【００５１】
１…犬、２…トリマー、３…トリミング台、４…脚、５…ハサミ、６…犬の首下部、１０…犬の保持装置、１１…載置台、１２…クッション部、１３…カバー、１４…犬腹部保持部、１５…支持部材、１６…固定盤、１７…すべり止めシール、２１，２２，２３，２４，２５，２６…持ち上がり部、２７…止め具、２８…穴、２９…溶接部、３１…ゴムヒモ、３２…孔、３３…孔、３４…底面、３５…上支持部、３６…下支持部。
【図１】
2007319082.tif 000003
【図２】
2007319082.tif 000004
【図３】
2007319082.tif 000005
【図４】
2007319082.tif 000006